(57)【要約】【課題】  微振動によって仕上塗り床にクラックが発生するのを防ぐとともに、フォークリフトなどの通行によっても蓋体が凹まない床用エキスパンションジョイントを提供することである。【解決手段】  床用エキスパンションジョイント１は、適宜間隔４をもって対向した床２、３間にエキパンションジョイント用耐荷体５が設置され、該エキパンションジョイント用耐荷体５は床端部の設置用段部６に設置され、該設置用段部６にはエキパンションジョイント用耐荷体５の固定プレート８におけるルーズホール９を貫通して上側に伸びるボルト７が立設され、該ボルト７には固定プレート８との間にスプリング１０が設けられ、該スプリング１０でエキパンションジョイント用耐荷体５を下側に押し付けた構成である。【選択図】図２
2006249765.tif 000002
【特許請求の範囲】
【請求項１】
適宜間隔をもって対向した床間にエキパンションジョイント用耐荷体が設置され、該エキパンションジョイント用耐荷体の両端部が床端部の設置用段部に設置され、該設置用段部にはエキパンションジョイント用耐荷体の固定プレートにおけるルーズホールを貫通して上側に伸びるボルトが立設され、該ボルトには固定プレートとの間にスプリングが設けられ、該スプリングでエキパンションジョイント用耐荷体を下側に押し付けていることを特徴とする床用エキスパンションジョイント。
【請求項２】
エキパンションジョイント用耐荷体の両端部には傾斜面が形成され、該傾斜面が設置用段部の傾斜面と対向したことを特徴とする請求項１に記載の床用エキスパンションジョイント。
【請求項３】
設置用段部の傾斜面には緩衝材が張り付けられたことを特徴とする請求項１または２に記載の床用エキスパンションジョイント。
【請求項４】
蓋体の両端部は傾斜面が形成されて設置用段部の傾斜面の上面に設置され、スラブの上面に設置された当接部材との間に適宜間隔をもって対向されていることを特徴とする請求項１〜３のいずれかに記載の床用エキスパンションジョイント。
【請求項５】
耐荷体はグレーチングであることを特徴とする請求項１〜４のいずれかに記載の床用エキスパンションジョイント。
【発明の詳細な説明】
【技術分野】
【０００１】
本願発明は床用エキスパンションジョイントに関するものである。
【背景技術】
【０００２】
従来の床用エキスパンションジョイントには、特開２００２−８１１４３号の発明が知られている。この床用エキスパンションジョイント２８は、図７に示すように、各床２９、３０の端部に固定された固定部材３１の間に架設された摺動可能な蓋体３２と、この蓋体３２の両端部を覆うようにして固定部材３１に支持された支持部材３３とから構成されている。しかし、この床用エキスパンションジョイント２８は耐久性が弱く、スライド可能であるが上下振動に追従できないため、精密機械工場などに設置された場合は、フォークリフトなどの通行で蓋体３２が凹んでしまうという問題があった。このような精密機械工場などでは２ｍｍの段差が許されないため、工場の増設時には上記の床用エキスパンションジョイント２８を使用せずに、増設床を既存床に繋げて段差を解消していた。
【特許文献１】特開２００２−８１１４３号公報
【発明の開示】
【発明が解決しようとする課題】
【０００３】
しかし、上記のように増設床を既存床に繋げて段差を解消する方法は、それぞれの建物の固有振動が異なるため、この異なる固有振動の微振動によって仕上塗り床にクラックが入ってしまい、その度に補修を繰り返すという問題があった。
【０００４】
本願発明はこれらの問題に鑑みてなされたものであり、その目的は、微振動によって仕上塗り床にクラックが発生するのを防ぐとともに、フォークリフトなどの通行によっても蓋体が凹まない床用エキスパンションジョイントを提供することである。
【課題を解決するための手段】
【０００５】
以上の課題を解決するための床用エキスパンションジョイントは、適宜間隔をもって対向した床間にエキパンションジョイント用耐荷体が設置され、該エキパンションジョイント用耐荷体の両端部が床端部の設置用段部に設置され、該設置用段部にはエキパンションジョイント用耐荷体の固定プレートにおけるルーズホールを貫通して上側に伸びるボルトが立設され、該ボルトには固定プレートとの間にスプリングが設けられ、該スプリングでエキパンションジョイント用耐荷体を下側に押し付けていることを特徴とする。またエキパンションジョイント用耐荷体の両端部には傾斜面が形成され、該傾斜面が設置用段部の傾斜面と対向したことを含む。また設置用段部の傾斜面には緩衝材が張り付けられたことを含む。また蓋体の両端部は傾斜面が形成されて設置用段部の傾斜面の上面に設置され、スラブの上面に設置された当接部材との間に適宜間隔をもって対向されていることを含む。また耐荷体はグレーチングであることを含むものである。
【発明の効果】
【０００６】
適宜間隔をもって対向した床の間にエキパンションジョイント用耐荷体、すなわちグレーチングが設置されているため、フォークリフトなどの通行によっても蓋体が凹まずに段差が発生しない。またボルトのスプリングでエキパンションジョイント用耐荷体を下側に押し付けているため上下振動に追従でき、蓋体の浮き上がりを防いでフォークリフトなどの通行の妨げとならない。また設置用段部の傾斜面に緩衝材が張り付けられたことにより、耐荷体の上下振動による衝撃音を吸収することができる。また固定プレートにおけるルーズホールによってエキパンションジョイント用耐荷体の幅方向へのスライドを可能にしたことにより、一方の床が大きく近づく挙動を吸収することができる。また、このような一方の床が大きく近づく挙動をしたときには、エキパンションジョイント用耐荷体の両端部の傾斜面が設置用段部の傾斜面と緩衝材を介して召し合わされることにより、圧縮破壊が防げる。
【発明を実施するための最良の形態】
【０００７】
以下、本願発明の床用エキパンションジョイントの実施の形態を図面に基づいて説明する。この床用エキパンションジョイン１は、図１〜図４に示すように、建物を増設した場合に、既存床２と適宜間隔（クリアランアス）４をもって対向した増設床３とにわたってエキパンションジョイント用耐荷体（以下耐荷体という）５が設置されて構成されている。
【０００８】
この耐荷体５はグレーチングであり、それぞれの床２、３の端部に形成された設置用段部６に両端部が設置されて、片側におけるボルト７で固定されている。このボルト７は設置用段部６に立設され、耐荷体５の固定プレート８におけるルーズホール（または長孔）９を貫通して上側に伸びている。このボルト７には固定プレート８との間にスプリング１０が設けられ、該スプリング１０によって耐荷体５を下側に押し付けて、設置用段部６からの浮き上がりを防いでいる。なお、このボルト７は片側に限らず、両側にも設けることもできる。
【０００９】
一方、ボルト７は固定プレート８のルーズホール（または長孔）９を貫通しているため、これがクリアラスンス４となって耐荷体５の幅方向へのスライドを可能にして、一方の床２、３が大きく近づく挙動を吸収できるようになっている。
【００１０】
また耐荷体５の両側部には三角部材１１によって傾斜面１２が形成されて全体として逆台形となり、前記三角部材１１には蓋体１３がビス止めされ、該蓋体１３の両端部にも傾斜面１４が形成されている。上記耐荷体５の傾斜面１２は設置用段部の傾斜面１５と対向し、該傾斜面１５にはウレタンゴムなどの緩衝材２７が張り付けられているため、一方の床２、３が大きく近づいた場合でも、これらが召し合わされて圧縮破壊を起こさないとともに衝撃音も吸収する。
【００１１】
この設置用段部６は上部水平板１６、傾斜板１７、下部水平板１８および取付板１９からなる段部形成板２０で形成され、上部水平板１６がＬ形鋼板２１の上面に設置されるとともに、下部水平板１８がＬ形鋼板２１の先端部におけるアングル２２に設置され、取付板１９には耐火シール２３が取り付けられている。また上部水平板１６には蓋体１３の端部が設置され、仕上塗り床端部の当接部材２４と適宜間隔（クリアランス）４をもって対向している。またＬ形鋼板２１がアンカーボルト２５に固定され、アングル２２がＬ形鋼板２１に溶接され、これらの裏側にはモルタル２６が充填されている。
【００１２】
図５は一方の床２、３が大きく近づく挙動を示したものであり、固定プレート８のルーズホール（または長孔）９によるクリアランス４、および蓋体１３端部と当接部材２４とのクリアランス４により、耐荷体５が幅方向にスライドして、上記の挙動を吸収するとともに、耐荷体５の両端部における傾斜面１２と、設置用段部６の傾斜面１５とが緩衝材２７を介して召し合わされて圧縮破壊を防ぐ。
【００１３】
また、図６は耐荷体５が浮き上がった場合を示したものであり、このように例え何かの力で浮き上がったとしても、ボルト７に設けたスプリング１０で下側に押し付けられるので浮き上がったままにはならない。また、この浮き上がった耐荷体５が下がった場合でも設置用段部の傾斜面１５における緩衝材２７で受けるため、その衝撃音を吸収することができる。したがって、フォークリフトなどの通行の妨げになることがない。
【図面の簡単な説明】
【００１４】
【図１】床用エキスパンションジョイントの平面図である。
【図２】床用エキスパンションジョイントの断面図である。
【図３】床用エキスパンションジョイントの一部切欠平面図である。
【図４】耐荷体の要部断面図である。
【図５】一方の床が大きく近づいた挙動を示す耐荷体の断面図である。
【図６】耐荷体が浮き上がった断面図である。
【図７】従来の床用エキスパンションジョイントの断面図である。
【符号の説明】
【００１５】
１、２８  床用エキスパンションジョイント
２、２９  既存床
３、３０  増設床
４  クリアランス
５  耐荷体
６  設置用段部
７  ボルト
８  固定プレート
９  ルーズホール
１０  スプリング
１１  三角部材
１２、１４、１５  傾斜面
１３、３２  蓋体
１６  上部水平板
１７  傾斜板
１８  下部水平板
１９  取付板
２０  段部形成板
２１  Ｌ形鋼板
２２  アングル
２３  耐火シール
２４  当接部材
２５  アンカーボルト
２６  モルタル
２７  緩衝材
３１  固定部材
３３  支持部材
【図１】
2006249765.tif 000003
【図２】
2006249765.tif 000004
【図３】
2006249765.tif 000005
【図４】
2006249765.tif 000006
【図５】
2006249765.tif 000007
【図６】
2006249765.tif 000008
【図７】
2006249765.tif 000009